(57)【要約】【課題】  本発明は、簡単な構造でコンパクトに構成でき、部品点数も少なく安価に製作でき、作業性、メンテナンス性にも優れ、より確実にロック状態が維持可能なロック装置付きのスライドレールを提供することを課題とする。【解決手段】係止部材とロック部材を有するロック装置付きのスライドレールにおいて、ロック部材に設けられる移動側レールから固定側レールに向かって突出する突出片と、固定側レールの固定側レールの上下折曲縁内面に設定される当接部で構成され、突出片と当接部が当接することにより、ロック状態での移動側レールのスライドレールの縦使いにおける上下方向の振れを規制する振れ止め装置をロック装置部に設ける。【選択図】図１
2019187811.tif 000002
【特許請求の範囲】
【請求項１】
ラック等の本体に固定される固定側レールと、固定側レールに対し摺動自在に配設された中間レールと、中間レールに対し摺動自在に配設された移動側レールと、固定側レールの前端部内面に着脱自在に設けられた係止部材と、係止部材に対応して、移動側レールの前端部内面に設けられたロック部材よりなり、係止部材に設けられる係止突起と、ロック部材に設けられる係止突片が係止することによりロック状態が維持され、ロック部材の操作部材を上下いずれかの方向に回動させて、係止突起と係止突片の係止状態を解除するロック装置を備えるスライドレールにおいて、ロック状態で移動側レールの固定側レールに対してのスライドレールの縦使いにおける上下方向への移動を移動側レールと固定側レールが協働で規制する振れ止め装置を備えることを特徴とするロック装置付きのスライドレール。
【請求項２】
振れ止め装置は、ロック部材に設けられる移動側レールから固定側レールに向かって突出する突出片と、固定側レールの固定側レールの上下折曲縁内面に設定される当接部で構成され、突出片と当接部が当接することにより、ロック状態での移動側レールのスライドレールの縦使いにおける上下方向の振れを規制することを特徴とする請求項１に記載のロック装置付きのスライドレール。
【請求項３】
突出片は、スライドレールの縦使いにおいて上下一対に、かつ、合成樹脂にてロック部材のベース部材と一体に形成され、突出片間に係止突起が通過可能な凹部を形成しているいることを特徴とする請求項２に記載のロック装置付きのスライドレール。
【発明の詳細な説明】
【技術分野】
【０００１】
本発明は、主に陳列棚や引き出しやグリル調理器等に用いられるロック装置付きのスライドレールに関するものである。
【背景技術】
【０００２】
従来、スライドレールのロック装置として数々のものが提供されている。
その代表的なものとして先行技術文献１（特許文献１）に示すように、ラック等の本体に固定される固定側レールと、固定側レールに対し摺動自在に配設された中間レールと、中間レールに対し摺動自在に配設された移動側レールと、固定側レールの前端部内面に着脱自在に設けられた係止部材と、係止部材に対応して、移動側レールの前端部内面に設けられたロック部材よりなるスライドレールのロック装置がある。
該ロック装置は、係止部材に設けられ、固定側レールの高さ方向の中心部に設けられた係止突起と、ロック部材に設けられる係止突片が係止することによりロック状態が維持されるもので、ロック部の操作部材を上下いずれかの方向に回動させて、係止突片を上下いずれかの方向に退避させて係止突起と係止突片の係止状態を解除しロックを解除するものである。
【０００３】
ロック部の操作部材を上下いずれかの方向に回動させるのは、ロック装置に右用、左用を作らずに左右で兼用できるようにしているものであるが、係止突起の上下いずれからでも係止突片の係止状態を解除できるようにしているため、係止突起と係止突片の係止状態が、スライドレールの高さ方向の中間部付近のみで行われている。
このようなロック装置の場合、移動側スライドレールに大きな荷重が掛かる場合、ロック装置のロック状態であっても、移動側スライドレールが荷重によって下側に撓み、係止突起と係止突片の係止状態が解除されることがあった。
【先行技術文献】
【特許文献】
【０００４】
【特許文献１】特開２０１５−２２９０３５公報
【発明の概要】
【発明が解決しようとする課題】
【０００５】
本発明は、簡単な構造でコンパクトに構成でき、部品点数も少なく安価に製作でき、作業性、メンテナンス性にも優れ、より確実にロック状態が維持可能なロック装置付きのスライドレールを提供することを課題とする。
【課題を解決するための手段】
【０００６】
そこで、上記課題を解決する為、本発明が第１の手段として構成したところは、ラック等の本体に固定される固定側レールと、固定側レールに対し摺動自在に配設された中間レールと、中間レールに対し摺動自在に配設された移動側レールと、固定側レールの前端部内面に着脱自在に設けられた係止部材と、係止部材に対応して、移動側レールの前端部内面に設けられたロック部材よりなり、係止部材に設けられる係止突起と、ロック部材に設けられる係止突片が係止することによりロック状態が維持され、ロック部材の操作部材を上下いずれかの方向に回動させて、係止突起と係止突片の係止状態を解除するロック装置を備えるスライドレールにおいて、ロック状態で移動側レールの固定側レールに対してのスライドレールの縦使いにおける上下方向への移動を移動側レールと固定側レールが協働で規制する振れ止め装置を備えるものである。
【０００７】
上記課題を解決する為、本発明が第２の手段として構成したところは、前記第１の手段に加え、振れ止め装置は、ロック部材に設けられる移動側レールから固定側レールに向かって突出する突出片と、固定側レールの固定側レールの上下折曲縁内面に設定される当接部で構成され、突出片と当接部が当接することにより、ロック状態での移動側レールのスライドレールの縦使いにおける上下方向の振れを規制するものである。
【０００８】
上記課題を解決する為、本発明が第３の手段として構成したところは、前記第２の手段に加え、突出片は、スライドレールの縦使いにおいて上下一対に、かつ、合成樹脂にてロック部材のベース部材と一体に形成され、突出片間に係止突起が通過可能な凹部を形成しているものである。
【発明の効果】
【０００９】
本発明の第１の手段として構成したところによると、ロック状態で、移動側レールが固定側レールに対しての上下方向への移動を移動側レールと固定側レールが振れ止め装置によって協働で規制できるので、移動側レールに荷重などが掛かり、上下方向に振れたとしても、移動側レールと固定側レールが同調して上下方向に移動するため、係止突起と係止突片の係止状態の関係が変わらずに係止状態を維持することが可能である。
【００１０】
本発明の第２の手段として構成したところによると、振れ止め装置は、ロック部材と
固定側レールの上下折曲縁内面の当接部で構成されるだけであるから、部品点数が少なくて済み、組み立てが容易であるばかりか、移動側レールの振れが一番大きい移動側レールの引き出し方向側の先端近傍で移動側レールの振れを規制することができるから、振れ止め効果が高い。
【００１１】
本発明の第３の手段として構成したところによると、突出片はロック部材と一体のため、部品点数が少なくて済み、組み立てが容易であり、突出片を上下一対に配置しているので、スライドレールの上下方向いずれにも振れ止め機能を持たすことができ、スライドレールを左右兼用にできる。そして、係止突起が通過可能な凹部を形成しているので、突出片をスライドレールの断面内に納めることができ、スライドレールがコンパクトにすることが可能である。
【図面の簡単な説明】
【００１２】
【図１】本発明のスライドレールの伸長途中状態の斜視図
【図２】スライドレールの基本断面図
【図３】移動側レールとロック部材の要部分解斜視図
【図４】移動側レールとロック部材の裏面側の要部分解斜視図
【図５】固定側レールと係止部材の要部斜視図
【図６】固定側レールと係止部材の裏面側の要部斜視図
【図７】係止突片の被案内傾斜面と係止突起の案内傾斜面が接触している状態を示す説明図
【図８】係止突片が係止突起に接触しながら、移動側レールが摺動している状態を示す説明図
【図９】スライドレールのロック状態の説明図
【図１０】係止突片が係止突起の上方向に移動し、ロック状態が解除された状態を示す説明図
【図１１】係止突片が係止突起の下方向に移動し、ロック状態が解除された状態を示す説明図
【図１２】スライドレール収縮状態を示す説明図
【図１３】突出片と当接部の関係を示す説明図
【発明を実施するための最良の形態】
【００１３】
ラック等の本体に固定される固定側レールと、固定側レールに対し摺動自在に配設された中間レールと、中間レールに対し摺動自在に配設された移動側レールと、固定側レールの前端部内面に着脱自在に設けられた係止部材と、係止部材に対応して、移動側レールの前端部内面に設けられたロック部材よりなり、係止部材に設けられる係止突起と、ロック部材に設けられる係止突片が係止することによりロック状態が維持され、ロック部材の操作部材を上下いずれかの方向に回動させて、係止突起と係止突片の係止状態を解除するロック装置を備えるスライドレールにおいて、
ロック部材に一体に形成され上下一対に、かつ、上下間に凹部を形成し移動側レールから固定側レールに向かって突出する突出片と、固定側レールの固定側レールの上下折曲縁内面に設定される当接部で構成され、突出片と当接部が当接することにより、ロック状態での移動側レールのスライドレール上下方向への移動を移動側レールと固定側レールが協働で規制する振れ止め装置をロック装置に備える。
【実施例】
【００１４】
スライドレールの基本的構成を図１、図２に基づいて説明する。
尚、便宜的に、図２における上下方向を上下方向と云い、左右方向を左右方向と云い、図１における左下側を引き出し側、右上側を引き込み側と云う。
スライドレール１００は、陳列棚等の本体の内面に連結ネジ等で連結される固定側レール１と、固定側レール１に対し、固定側ボール保持板３に回転自在に保持された複数個のボール３０・・・を介して摺動自在に設けられた中間レール４と、中間レール４に対し、移動側ボール保持板５に回転自在に保持された複数個のボール５０・・・を介して摺動自在に設けられた移動側レール２より構成され、移動側レール２が固定側レール１に収納された状態を保持する係止部材７が固定側レール１の前端部内面に、係止部材７に係脱自在のロック部材６が、移動側レール２の前端部内面に設けられている。
【００１５】
固定側レール１は、金属製の細長条板の短手両端部を内向き円弧状に折り曲げて形成された内面長手方向（摺動方向）にボール案内溝を有する上下折曲縁１１、１１と、基板１２より断面略Ｃ字形をなし、摺動方向前部に、基板１２の一部が移動側レール２方向に突出し、固定側ボール保持板３、中間レール４、移動側ボール保持板５等を介して、移動側レール２を最大引き出した状態で停止させ、スライドレール１００を最大伸長となすレール伸長時ストッパー１３と、摺動方向後端部に、基板１２を移動側レール２方向に突出し、中間レール４等を介して、移動側レール２が最も収納された状態で停止させ、スライドレール１００を最短縮小状態となすレール短縮時ストッパーが形成されている。
【００１６】
中間レール４は、前記固定側レール１側に挿入されるインナー中間レール４ａと移動側レール２が挿入可能なアウター中間レール４ｂで形成されている。
インナー中間レール４ａは、固定側レール１より短長な金属製の細長条板の短手両端部を、外向き円弧状に折り曲げて、外面長手方向（摺動方向）にボール案内溝を有する上下折曲縁４２ａ、４２ａと、基板４１ａからなり、移動側レール２と同形状な断面略コ字形に形成されている。
アウター中間レール４ｂは、移動側レール２より短長な金属製の細長条板の短手両端部を内向き円弧状に折り曲げて、内面長手方向（摺動方向）にボール案内溝を有する上下折曲縁４２ｂ、４２ｂと、基板４１ｂからなり、固定側レール１と同形状な断面略Ｃ字形に形成されている。
そして、インナー中間レール４ａとアウター中間レール４ｂは、コ字状断面の開口側とＣ字形断面の開口側が互いに外向きとなるように基板４１ａ、４０ｂが背中合わせに固着され、断面略Ｉ字形となるように中間レール４が構成されている。
【００１７】
また、インナー中間レール４ａの基板４１ａの後端部に固定側レール１側に突出し、移動側レール２の引き出し時、固定側ボール保持板３の後端部に当接するインナー中間レール後端ストッパー４４ａが形成される。
そして、アウター中間レール４ｂの基板４１ｂの後端部に移動側レール２側に突出し、移動側レール２の収納時、移動側レール２の後端部が当接するアウター中間レール後端ストッパー４４ｂが形成され、基板４１ｂの前端部付近に、移動側ボール保持板５の前端が当接するアウター中間レール前端ストッパー４５ｂが形成されている。
【００１８】
移動側レール２は、固定側レール１とほぼ同等の長さで、、金属製の細長条板の短手両端部を内面側に膨出するように外向き円弧状に折り曲げて形成された外面長手方向（摺動方向）にボール案内溝を有すし、上下折曲縁２１、２１と、基板２２より固定側レール１に対向する断面略コ字形に形成されている。
そして、基板２２の後端部には、スライドレール１００の最大伸長状態で移動側ボール保持板５の後端に当接し、移動側レール２の収納時、前記アウター中間レール後端ストッパー４４ｂの内面に当接する移動側レール後端ストッパー２２０が形成されている。
【００１９】
固定側ボール保持板３は帯条金属板にてインナー中間レール４ａより所定寸法短くした、固定側レール１とインナー中間レール４ａ間に挿入可能な大きさの基板３１と、固定側レール１とインナー中間レール４ａの各上下折曲縁１１、１１、４２ａ、４２ａ間に位置する上下突出縁３２、３２より断面略コ字形に形成され、上下突出縁３２、３２の長手方向（摺動方向）数個所でボール３０・・・を回転自在に保持している。
【００２０】
移動側ボール保持板５は帯条金属板にてアウター中間レール４ｂより所定寸法短くした、移動側レール２とアウター中間レール４ｂ間に挿入可能な大きさの基板５１と、移動側レール２と中間レール４の各上下折曲縁２１、２１、４２ｂ、４２ｂ間に位置する上下突出縁５２、５２より断面略コ字形に形成され、突出縁５２、５２の長手方向（摺動方向）数個所でボール５０・・・を回転自在に保持している。
【００２１】
スライドレール１００は上記の如く構成される。
尚、スライドレール１００は、基板３１、基板５１が垂直方向に配置され、基板３１、基板５１を挟んでボール３０・・・、ボール５０・・・がそれぞれ、縦方向に対向配置される状態（図２の状態）をスライドレール１００の縦使いと云い、基板３１、基板５１が水平方向に配置され、基板３１、基板５１を挟んでボール３０・・・、ボール５０・・・がそれぞれ、水平方向に対向配置される状態をスライドレール１００の横使いと云う。
そして、スライドレール１００の移動側レール２が固定側レール１に最も収納された状態（最短縮小状態）では、インナー中間レール後端ストッパー４４ａが、固定側レール１のレール短縮時ストッパーに当接し、移動側レール２の移動側レール後端ストッパー２２０がアウター中間レール後端ストッパー４４ｂの前面に当接し、移動側レール２１のロック部材６が固定側レール１の係合部７に係合している。（ロック状態。尚、この状態でロック部材６と係止部材７の係止状態を解除するための解除用クリアランスが設けられ、移動側レール２はスライドレール１００の摺動方向に若干移動可能となっている。）
【００２２】
この状態から、ロック部材６の係合部７に対する係合状態を解除して、移動側レール２を前方に引き出していくと、移動側レール２の移動距離の２分の１の距離だけ移動側ボール保持板５は移動し、中間レール４の移動距離の２分の１の距離だけ固定側ボール保持板３は移動するので、移動側レール後端ストッパー２２０の前面が移動側ボール保持板５の後端に当接し、移動側ボール保持板５の前端がアウター中間レール前端ストッパー４５ｂの後面に当接し、インナー中間レール後端ストッパー４４ａの前面が固定側ボール保持板３の後端に当接し、固定側ボール保持板３の前端が、固定側レール１のレール伸長時ストッパー１３の後面に当接して、移動側レール２、中間レール４は停止し、スライドレール１００は最大伸長状態となる。
【００２３】
次に、第１実施例のロック部材６を図３、図４に基づいて説明する。
第１実施例のロック部材６は、合成樹脂材で一体に成型されたベース部材６０と、合成樹脂材で一体に成型された操作部材６１とで構成される。
【００２４】
ベース部材６０は、移動側レール２の上下折曲縁２１、２１の内面に嵌合する移動側上下嵌合凹部６０２、６０２を上下面に有する固定基板部６０１と、固定基板部６０１の後部（引き込み側部）で固定側レール３側に突出する上下に一対の突出片６０３、６０３と、突出片６０３、６０３それぞれの前方側（引き出し側）に突出した上下方向に対称に対向配設される弾性部材６０４、６０４と、固定基板部６０１の前端に前方に向かって突出する、後述する操作部材６１に形成される案内溝６１８に挿通し、操作部材６１の外れを防止する外れ止め片６０５より構成される。このようにベース部材６０は、合成樹脂製で一体的に形成されている。
【００２５】
そして、固定基板部６０１は、正面視（図２、図１３の方向から見た状態）において、移動側レール２の内面に嵌合するように前後方向に長い直方体で、上下嵌合凹部６０２、６０２が設けられ、移動側レール２の基板２２側に、突出片６０３、６０３裏面から、前方に長い回動凹部６０１ａが設けられ、回動凹部６０１ａは、突出片６０３、６０３の前方で部分的に固定側レール側に貫通し、突出片６０３、６０３裏面から基板２２側に向かって突出する円柱状の回転軸６０１ｂが設けられている。
【００２６】
上側の突出片６０３は、後述する固定側レール１に設置される係止部材７の固定部７２に当接しない程度に近接する高さまで固定側レール１側に突出したものであって、上面は、同じく後述する係止部材７の固定側上下嵌合突部７１の内面の当接受面７１ａに当接しない程度に近接する高さとされ、該上面が当設面６０３ｃとされ、当設面６０３ｃの後部と固定側レール１側の面に引き込み側に傾斜する案内面６０３ａが形成されている。そして、突出片６０３、６０３は、上下方向に対称に対向配設されるものであるから、下側の突出片６０３は、上側の突出片６０３と対称形となっており、該突出片６０３、６０３間には係止突起７３が通過可能な凹部の通過凹部６０３ｂが形成されている。
【００２７】
上下の弾性部材６０４、６０４の内、上側の弾性部材６０４は、上側の突出片６０３の前面（引き出し側面）から前方に向かって延伸する弾性杆６０４ａと、弾性杆６０４ａの前端部から下部に膨出する円弧状の押圧部６０４ｂとで構成されている。下側の弾性部材６０４は、上側の弾性部材６０４と同形のものが、上下に対象に対向して配設される。そして、対向する押圧部６０４ｂ、６０４ｂの先端間は、後述する操作部材６１のロック部６１３の高さ寸法より若干短い寸法分開けられる。
【００２８】
外れ止め片６０５は、固定基板部６０１の前面に形成されたフランジ部６０１ｃの前面側から前方に向かって平板状に突出形成されている。
また、固定基板部６０１の後面から後方にむかって、移動側レール２の基板２２に沿うように固定角孔を有する固定片６０１ｄが突設されている。
【００２９】
操作部材６１は、ベース部材６０に上下方向に回動自在に軸支される回転基部６１１と、回転基部６１１の前方に連設され、固定側レール１側の面に係止突片６１４を有するロック部６１３と、ロック部６１３の前方に連設されて、移動側レール２の前方に突出し、回転基部６１１を上下いずれかの方向に回動させる操作部の操作用腕部６１７と、操作用腕部６１７の移動側レール２の基板２２側の引き込み側面部に設けられる上下方向に貫通する案内溝６１８より構成されている。
そして、回転基部６１１には、表面側（固定側レール１側）から裏面側（移動側レール２の基板２２側の面）にかけて貫通する回動保持用貫通孔６１２が形成されている。
【００３０】
係止突片６１４は、係止部材７の固定部７２に当接しない程度に近接する高さまで固定側レール１側に突出したものであって、前面（引き出し側面）に円弧状で凹状の係合ロック部６１４ａが形成され、係止突片６１４の上面側と下面側は後方に向かって傾斜する被案内傾斜部６１４ｂ、６１４ｂが形成されている。
【００３１】
次に、ロック部材６の移動側レール２への装着方法を詳述する。
操作部材６１の回転基部６１１を、ベース部材６０の回動凹部６０１ａの貫通側から挿入し、ベース部材６０の回転軸６０１ｂに回動保持用貫通孔６１２が軸支されるように、かつ、操作部材６１の案内溝６１８にベース部材６０の外れ止め片６０５が挿通するように装入する。
前述の通り、押圧部６０４ｂ、６０４ｂの先端間は、後述する操作部材６１のロック部６１３の高さ寸法より若干短いので、操作部材６１のロック部６１３の上面と下面で、押圧部６０４ｂ、６０６の先端間を押し広げ、弾性杆６０４ａ、６０４ａを弾性変形させながら操作部材６１はベース部材６０に装入されることになる。
したがって、ベース部材６０に操作部材６１が装着された状態で、操作部材６１には、押圧部６０４ｂ、６０４ｂを介して弾性杆６０４ａ、６０４ａの若干の弾性力が常に伝わるので、操作部材６１は上下回動の中間部で保持されることになる。この状態で、操作部材６１は、ベース部材６０に対して回動可能となりロック部材６の組み立ては完成する。
【００３２】
そして、ロック部材６は、移動側レール２の引き出し方向端部の所定の位置に、ベース部材６０の固定片６０１ｄを移動側レール２の前端面から後方に向かって、フランジ部６０１ｃが移動側レール２の前端面に近接するように押し込む。
このように押し込むと、固定片６０１ｄの固定孔と移動側レール２の基板２２側に凸設された固定片２２ａが係合し、ロック部材６の前後の移動が固定され、移動側レール２の前端面から抜けないようになる。そして、移動側上下嵌合凹部６０２、６０２は、移動側レール２の膨出する上下折曲縁２１、２１の内面に沿うように施されているから、ロック部材６は、固定側レール１側にも抜けないようになり、ロック部材６は移動側レール２に嵌合状態で装着保持される。
【００３３】
また、操作部材６１の案内溝６１８にベース部材６０の外れ止め片６０５が挿通するように操作部材６１は装着されているから、操作用腕部６１７を左右方向に傾動させても、案内溝６１８の内面に外れ止め片６０５が当接し、操作用腕部６１７の傾きが規制され、操作部材６１はベース部材６０から容易には外れない。
【００３４】
係止部材７は、図６、７に示すように、固定側レール１の上下折曲縁１１、１１の内面に形成されたボール案内溝に嵌合される固定側上下嵌合突部７１、７１と、固定側上下嵌合突部７１、７１間に連設された固定部７２より、合成樹脂材にて一体に形成されている。
そして、固定側上下嵌合突部７１、７１の上部側の下面と、下部側の上面はそれぞれ、当接受面７１ａ、７１ａとされ、固定側上下嵌合突部７１、７１間、すなわち、当接受面７１ａ、７１ａ間は、ロック部材６の突出片６０３、６０３の当接面６０３ｃ、６０３ｃ間の距離に対して、若干大きく形成され、当接受面７１ａ、７１ａ間に突出片６０３、６０３が挿通可能で、かつ、当接受面７１ａと当接面６０３ｃが近接するように設定されている。
【００３５】
そして、固定部７２の固定側レール１の基板１２側の面に、固定側レール１の基板１２に形成された取付用嵌合孔１２１に嵌合する嵌合突起７２１が連設され、移動側レール２側の面に前記操作部材６１の係止突片６１４に対応して、係止突起７３が連設され、係止突起７３の後方に、スライドレール１００を固定するネジの逃がし孔の開口孔７２２が形成されている。
【００３６】
係止突起７３は、操作部材６１のロック部６１３に当接しない程度に近接する高さまで移動側レール２側に突出し、前端部の上下面に、係止突片６１４に形成された被案内傾斜部６１４ｂに対応して、後方に向かって傾斜する案内傾斜部７３１、７３１と、係止突片６１４の係合ロック部６１４ａに対応して後端部に形成された当接係止部７３２より形成されている。
【００３７】
このように構成された係止部材７は、固定側レール１の引き出し方向端部の所定の位置に、固定側レール１の内面から外側に向かって押し込まれ、固定側レール１に装着される。
この装着時には、固定側上下嵌合突部７１、７１と連接する固定部７２が弾性変形することによって固定側上下嵌合突部７１、７１が固定側レール１のボール案内溝部に装入され、固定側レール１の取付用嵌合孔１２１、１２１に係止部材７の嵌合突起７２１、７２１が装入され、固定部７２の弾性力によって係止部材７が固定側レール１に嵌合状態で装着保持される。
この時、嵌合突起７２１が、取付用嵌合孔１２１と嵌合しているので、係止部材７はレールの引き出し方向には移動しない。
【００３８】
第１実施例のロック部材６と係止部材７は上記の如く形成され、移動側レール２が最大伸長状態（引出し、棚板等が最も引き出された状態）から移動側レール２を収納していくと、スライドレール１００に加わる荷重などの要因で、固定側レール１に対して中間レール４が先に収納されたり、或いは、中間レール４に対し移動側レール２が先に収納されたり、さらには、移動側レール２の中間レール４に対する収納と、固定側レール１に対する中間レール４の収納が同時に行われたりする。
【００３９】
しかしながら、ロック部材６は、移動側レール２の前方側に設けられているので、移動側レール２と中間レール４の固定側レール１に対する収納順位にかかわらず、最終的には、ロック部材６の係止突片６１４に形成された被案内傾斜部６１４ｂが、係止部材７に形成された係止突起７３の案内傾斜部７３１に接触する（図７に示す状態）。
この状態からさらに、移動側レール２を収納させると、被案内傾斜部６１４ｂが、案内傾斜部７３１に接触しながら、操作部材６１を、回転基部６１１の回動保持用貫通孔６１２を中心軸として、弾性部材６０４の押圧部６０４ｂを介して弾性杆６０４ａを弾性変形させながら上方あるいは下方に回動させるので、係止突片６１４は追従して上方あるいは下方に移動する（図８に示す状態）。
【００４０】
さらに、移動側レール２を収納させると、係止突片１４の係合ロック部６１４ａが、係止部材７の係止突起７３の上下いずれかを収納側に通過した後、弾性部材６０４の弾性力によって、操作部材６１は元の状態に回動し、係止突片１４も元の位置に復帰し、スライドレール１００は、最短縮小状態となる（図９に示す状態）。
【００４１】
すなわち、インナー中間レール後端ストッパー４４ａが、固定側レール１のレール短縮時ストッパーの前面に当接し、移動側レール２の移動側レール後端ストッパー２２０がアウター中間レール後端ストッパー４４ｂの前面に当接し、操作部材６１の係合ロック部６１４ａが係止部材７の当接係止部７３２に当接し係止状態となる（図９に示すロック状態）。尚、この状態でロック部材６と係止部材７の係止状態を解除するための解除用クリアランスが係合ロック部６１４ａと当接係止部７３２間に形成され、移動側レール２はスライドレール１００の摺動方向に若干移動可能となっている。
【００４２】
そして、ロック状態において、スライドレール１００が設置されている陳列棚等に荷重がかかると、該荷重により、陳列棚側のレール、すなわち、移動側レール２に加わり、スライドレール１００の各部材間のクリアランスや移動側レール２の弾性変形が重なり移動側レール２が下方に撓もう、すなわち、移動しようとする。
特に、本件実施例のように、移動側レール２の前端にロック部材６が、固定側レール１の前端に係止部材７が備え付けられている場合、スライドレール１００最収縮状態で、ロック部材６、係止部材７のところにはロック部材６、係止部材７があるため中間レール４を配置できない。また、移動側ボール保持板５も、ボール支持式のスライドレールの場合、引き込み側に配置されることになるため、移動側ボール保持板５の前端から前方では、移動側レール２を支持するものがない。そのため、移動側レール２のロック部材６の部分は、中間レール４で支持されないので、下方に撓み易い（図１２に示す状態）。
【００４３】
移動側レール２が下方に撓む（移動する）と、係合ロック部６１４ａが当接係止部７３２の下方に移動してしまうため、係合ロック部６１４ａと当接係止部７３２の当接が外れ、ロックが解除されてしまう。特に断面の小さなスライドレールの場合、スライドレールを構成する各部材の剛性が低いため、スライドレール全体で撓みやすい傾向にある。
【００４４】
本件実施例の構成では、移動側レール２が下方に移動すると、ロック部材６の下側の突出片６０３の当接面６０３ｃが、係止部材７の当接受面７１ａに当接する。
そして、当接面６０３ｃと当接受面７１ａは、前述のとおり近接しているので、移動側レール２が必要以上に下方に移動することがない。
【００４５】
当接面６０３ｃが当接受面７１ａに当接すると、移動側レール２に掛かる荷重は、当接受面７１ａを介して固定側レール１でも受けることができるので、移動側レール２と固定側レール１が協働して前記荷重を支えることが可能となる。
そして、移動側レール２の当接面６０３ｃは、係止部材７の当接受面７１ａに当接するため、移動側レール２と固定側レール１の上下方向の位置関係が大きく変わらないので、係合ロック部６１４ａと当接係止部７３２の当接が外れることはなく、ロックが解除されることがない。
このように、当接面６０３ｃと当接受面７１ａで振れ止め装置６２が構成され、振れ止め装置６２をロック装置に備えると、移動側レール２と固定側レール１が協働しスライドレール１００の前端部の撓み、振れを規制できるので、ロック状態の維持に特に効果を発揮する。
【００４６】
また、本件実施例では、当接受面７１ａを係止部材７に設けているが、当接面６０３ｃを固定側レール１の上下折曲縁１１に当接させるようにしてもよい。この場合、上下折曲縁１１の当接面が当接受面となる。しかしながら、通常、固定側レール１は鋼製であるから、当接面６０３ｃと上下折曲縁１１が接すると、当接面６０３ｃが合成樹脂製であるから削れや割れがおき易い。そのため、本実施例のように係止部材７に一体的に設けることにより、部品点数を増やすことなく、合成樹脂製同士の接触が可能であるため削れ、割れなどの問題を安価に減少させることが可能である。
【００４７】
スライドレール１００をロック状態から、移動側レール２（陳列棚の棚板等）を引き出すときは、棚板の上面と操作用腕部６１７の下面を指先で摘むようにして、操作用腕部６１７を上方あるいは下方に移動させると、弾性部材６０４の押圧部６０４ｂを介して弾性杆６０４ａが弾性変形しながら、回転基部６１１の回動保持用貫通孔６１２を中心に操作部材６１が回動する。
そして、係止突片６１４を、係止部材７の係止突起７３の上方、あるいは下方に位置させる（図１０、１１に示す状態）。
【００４８】
さらに、上記の状態を維持しながら、操作部材６１の係止突片６１４が係止部材７の係止突起７３の上方を通過するまで、移動側レール２を引き出し、操作用腕部６１７から指先を離すと、上側の弾性部材６０４の弾性力によって、操作部材６１は押し戻されながら回動し元の状態に復帰し、係止突片６１４も元の位置に復帰し、そのまま、棚板を引き出すと移動側レール２は最大伸長状態となって停止する。
【００４９】
本件実施例のロック装置は、上下方向で対称形に形成されており、スライドレール左右兼用が可能となっている。
また、弾性部材６０４は、ベース部材６０と一体とされなくとも、操作部材６１と一体に合成樹脂で成型されていてもよい。
実施例では、スライドレール１００は、ボールが上下方向に配置される縦使いであるが、ボールが水平方向に配置される横使いのスライドレールにも使用可能である。
横使いの場合、振れ止め装置６２は、スライドレール１００の水平方向の揺れに対しての振れ止め規制に効果が発揮可能である。
【００５０】
ロック装置を構成する部品点数を、スライドレールの他に、係止部材、ベース部材、操作部材の３点のみとし、ロック装置が振れ止め装置を備えているので、部品点数も少なくなり、各部材は、合成樹脂にて一体に成型したものであるので、係止部材、ベース部材、操作部材は同じ生産工程の中で製造することができるので生産効率が良い。
また、係止部材と、ベース部材、操作部材からなるロック部材は、スライドレールに対して、合成樹脂の弾性力を利用して嵌合されるので、ネジやリベット止めのような別工程が必要なく、組立効率が良いばかりか、スライドレールが実際に使用される中でのメンテナンス時に、ロック装置も簡単に交換できる。さらにロック装置、振れ止め装置は、左右兼用であるため、メンテナンス用の部品の管理も左右で分ける必要がなく部品管理効率がよい。
【符号の説明】
【００５１】
１００    スライドレール
１        固定側レール
１１      上下折曲縁
１２      基板
２        移動側レール
２１      上下折曲縁
２２      基板
３        固定側ボール保持板
４        中間レール
４ａ      インナー中間レール
４ｂ      アウター中間レール
５        移動側ボール保持板
６        ロック部材
６０      ベース部材
６０１    固定基板部
６０１ａ  回動凹部
６０１ｃ  フランジ部
６０２    移動側上下嵌合凹部
６０３    突出片
６０３ｂ  通過凹部
６０３ｃ  当接面
６０４    弾性部材
６０５    外れ止め片
６１      操作部材
６１１    回転基部
６１４    係止突片
６１４ａ  係合ロック部
６１４ｂ  被案内傾斜部
６１７    操作用腕部
６１８    案内溝
６２      振れ止め装置
７        係止部材
７１      固定側上下嵌合突部
７１ａ    当接受面
７２      固定部
７２１    嵌合突起
７２２    開口孔
７３      係止突起
７３１    案内傾斜部
７３２    当接係止部
【図１】
2019187811.tif 000003
【図２】
2019187811.tif 000004
【図３】
2019187811.tif 000005
【図４】
2019187811.tif 000006
【図５】
2019187811.tif 000007
【図６】
2019187811.tif 000008
【図７】
2019187811.tif 000009
【図８】
2019187811.tif 000010
【図９】
2019187811.tif 000011
【図１０】
2019187811.tif 000012
【図１１】
2019187811.tif 000013
【図１２】
2019187811.tif 000014
【図１３】
2019187811.tif 000015